(57)【要約】      （修正有）【課題】取扱い易く、使い勝手に優れ、重量調節操作が誰でも簡単に且つ正確に行え、転がり難く、海中を真直ぐに且つ安定的に降下し、係止ピンと弾性ストッパーとで錘本体を安定的に挟め、チェーンのチェーン素子による細かな凹凸で、弾性ストッパーをより安定的に締着でき、錘本体が一つに纏まった状態を維持し易く、貫通連結体にかかる負荷を軽減でき、構成簡素で、量産に適し、低廉で、経済的な釣用錘を提供する。【解決手段】錘本体と貫通連結体Ｂとで構成し、中間部錘体Ａ３の増減で重量調節する釣用錘であって、上部錘体Ａ１と下部錘体Ａ２と中間部錘体Ａ３の側周面に複数の突条２を適宜間隔で突設し、貫通連結体Ｂは、チェーン１０と係止ピン１１と弾性ストッパー１３とを備え、係止ピン１１と弾性ストッパー１３とで、錘本体を挟むようにして、嵌合凸面部３と嵌合凹面部４の嵌合状態を維持できるよう構成する。【選択図】図１
0003150702.tif 000002
【実用新案登録請求の範囲】
【請求項１】
上部錘体と下部錘体と複数の中間部錘体とからなる錘本体と、この錘本体の貫通孔に挿通せしめて装着されると共に、釣糸の先端等に装着される貫通連結体とで構成され、中間部錘体の増減によって錘本体全体の重量を調節できるように構成した釣用錘であって、上部錘体と下部錘体と中間部錘体は、その中心に相互に連通する貫通孔が夫々穿設されると共に、その側周面に複数の突条が適宜間隔で突設され、上部錘体と中間部錘体の下面には、嵌合凸面部が夫々形成され、下部錘体と中間部錘体の上面には、嵌合凸面部に嵌合可能な嵌合凹面部が夫々形成され、貫通連結体は、その基端部分に釣糸の先端等が固定されると共に、錘本体の貫通孔に挿通可能なチェーンと、このチェーンの先端部分に取付けられると共に、錘本体の貫通孔に遊挿可能な係止ピンと、チェーンの任意の位置に環装、締着可能となるよう形成される筒状の弾性ストッパーとを備え、前記下部錘体の下面中央部分には、貫通連結体の係止ピンが貫通孔を跨ぐような状態で保持可能となるような係止溝が凹設され、係止ピンと弾性ストッパーとで、錘本体を挟むようにして、上部錘体と下部錘体と中間部錘体の嵌合凸面部と嵌合凹面部の嵌合状態を維持できるように構成したことを特徴とする釣用錘。
【考案の詳細な説明】
【技術分野】
【０００１】
本考案は、釣糸の先端等に装着されると共に、その重量調節が可能となるように構成された釣用錘に係り、特に、取扱い易く、使い勝手に優れ、その重量調節操作が誰でも簡単に行え、しかも、構成が簡素で、量産に適し、低廉に提供できるように工夫した釣用錘に関するものである。
【背景技術】
【０００２】
従来、この種の釣用錘としては、例えば、特許文献１に示すような釣具用おもりがあり、これは、細長棒の一方に環を形成し、他方に内ネジを有する凹部を形成した副心棒と、その副心棒が連結できる外ネジが設けられた主心棒の下端に少なくとも上向き円錐面及び下向き円錐面が形成されたそろばん珠状の錘本体と、主心棒に挿通される挿通穴を中央に穿設した凸状円錐面、円筒面及び凹状円錐面を設けた、あらかじめ個々に定めた規定重さに製作した２個以上の錘による数個の分割錘とで構成したものである。
【先行技術文献】
【特許文献】
【０００３】
【特許文献１】特開２０００−７８９４３号公報
【考案の概要】
【考案が解決しようとする課題】
【０００４】
ところで、前述の如き釣具用おもりにあっては、例えば、おもり全体や分割錘や錘本体夫々が、揺れる釣り船でその重量の変更作業等を行っている際に、転がり易い難点があった。また、海中に投入した際に、おもり自体が旋回し易い難点等もあった。更に、副心棒と主心棒との連結に螺着手段を利用しているため、弱くねじ込むと途中で緩んで分離する虞があり、逆に強くねじ込んでしまうと、これを緩めるのが大変で、そのねじ込み加減が難しい等の問題点もあった。
【０００５】
そこで、本考案は、前述の如き難点等を解消できるようにして、取扱い易く、使い勝手に優れ、その重量調節操作が誰でも簡単に行え、しかも、構成が簡素で、量産に適し、低廉な釣用錘を提供できるようにすべく案出されたものである。
【課題を解決するための手段】
【０００６】
しかして、前述の如き課題を達成できるようにすべく、請求項１記載の釣用錘にあっては、上部錘体Ａ１と下部錘体Ａ２と複数の中間部錘体Ａ３とからなる錘本体Ａと、この錘本体Ａの貫通孔１に挿通せしめて装着されると共に、釣糸の先端等に装着される貫通連結体Ｂとで構成され、中間部錘体Ａ３の増減によって錘本体Ａ全体の重量を調節できるように構成した釣用錘であって、上部錘体Ａ１と下部錘体Ａ２と中間部錘体Ａ３は、その中心に相互に連通する貫通孔１が夫々穿設されると共に、その側周面に複数の突条２が適宜間隔で突設され、上部錘体Ａ１と中間部錘体Ａ３の下面には、嵌合凸面部３が夫々形成され、下部錘体Ａ２と中間部錘体Ａ３の上面には、嵌合凸面部３に嵌合可能な嵌合凹面部４が夫々形成され、貫通連結体Ｂは、その基端部分に釣糸の先端等が固定されると共に、錘本体Ａの貫通孔１に挿通可能なチェーン１０と、このチェーン１０の先端部分に取付けられると共に、錘本体Ａの貫通孔１に遊挿可能な係止ピン１１と、チェーン１０の任意の位置に環装、締着可能となるよう形成される筒状の弾性ストッパー１３とを備え、前記下部錘体Ａ２の下面中央部分には、貫通連結体Ｂの係止ピン１１が貫通孔１を跨ぐような状態で保持可能となるような係止溝５が凹設され、係止ピン１１と弾性ストッパー１３とで、錘本体Ａを挟むようにして、上部錘体Ａ１と下部錘体Ａ２と中間部錘体Ａ３の嵌合凸面部３と嵌合凹面部４の嵌合状態を維持できるように構成する手段を採用した。
【考案の効果】
【０００７】
従って、請求項１記載の釣用錘によれば、中間部錘体Ａ３の増減によって錘本体Ａ全体の重量を簡単に且つ正確に調節できるようになり、取扱い易く、使い勝手に優れ、その重量調節操作が誰でも簡単に行えるようになる。しかも、構成が簡素で、量産に適し、低廉で、経済的な釣用錘となる。
【０００８】
特に、上部錘体Ａ１と下部錘体Ａ２と中間部錘体Ａ３の側周面には、複数の突条２が適宜間隔で突設してあるので、揺れる釣り船でその重量の変更作業等を行った場合でも、突条２によって、釣用錘全体や上部錘体Ａ１や下部錘体Ａ２や中間部錘体Ａ３が転がり難いものとなり、これらを紛失したりすることがなく、取扱い易く、使い勝手に優れたものとなる。
加えて、釣用錘自体は、海中に投入した際に突条２によって旋回し難いものとなり、所望の深さまで真直ぐに且つ安定的に降下するようになる。
【０００９】
また、貫通連結体Ｂは、その基端部分に釣糸の先端等が固定されると共に、錘本体Ａの貫通孔１に挿通可能なチェーン１０と、このチェーン１０の先端部分に取付けられると共に、錘本体Ａの貫通孔１に遊挿可能な係止ピン１１と、チェーン１０の任意の位置に環装、締着可能となるよう形成される筒状の弾性ストッパー１３とを備え、前記下部錘体Ａ２の下面中央部分には、貫通連結体Ｂの係止ピン１１が貫通孔１を跨ぐような状態で保持可能となるような係止溝５が凹設され、係止ピン１１と弾性ストッパー１３とで、錘本体Ａを挟むようにして、上部錘体Ａ１と下部錘体Ａ２と中間部錘体Ａ３の嵌合凸面部３と嵌合凹面部４の嵌合状態を維持できるように構成したので、弾性ストッパー１３をチェーン１０に沿って強制的に適宜移動させることにより、係止ピン１１と弾性ストッパー１３とで錘本体Ａを安定的に挟めるようにできたり、或いは、係止ピン１１と係止溝５との係止状態を解除して、中間部錘体Ａ３の増減作業が簡単に行えるようになる。すなわち、誰でも簡単にその重量調節操作が行える釣用錘となる。
しかも、チェーン１０の任意の位置に環装、締着可能となるよう形成される筒状の弾性ストッパー１３を設けたので、チェーン１０のチェーン素子による細かな凹凸によって、弾性ストッパー１３をより安定的に締着できるようになる。
【００１０】
更に、上部錘体Ａ１と中間部錘体Ａ３の下面には、嵌合凸面部３が夫々形成され、下部錘体Ａ２と中間部錘体Ａ３の上面には、嵌合凸面部３に嵌合可能な嵌合凹面部４が夫々形成されているので、係止ピン１１と弾性ストッパー１３とで錘本体Ａを挟んだ状態のときに、嵌合凸面部３と嵌合凹面部４が嵌合状態となり、錘本体Ａ全体が一つに纏まった状態を維持し易く、貫通連結体Ｂにかかる負荷を軽減でき、より取扱い易いものとなる。
【図面の簡単な説明】
【００１１】
【図１】本考案の釣用錘を例示する一部省略分解斜視図である。
【図２】本考案の釣用錘を例示する正面図である。
【図３】本考案の釣用錘を例示する縦断面図である。
【図４】本考案の釣用錘を例示する底面図である。
【図５】本考案の釣用錘を例示する一部切欠き部分正面図である。
【考案を実施するための形態】
【００１２】
以下、本考案を図示例に基づいて説明すると、次の通りである。
本考案の釣用錘は、上部錘体Ａ１と下部錘体Ａ２と複数の中間部錘体Ａ３とからなる錘本体Ａと、この錘本体Ａの貫通孔１に挿通せしめて装着されると共に、釣糸の先端等に装着される貫通連結体Ｂとで構成され、中間部錘体Ａ３の増減によって錘本体Ａ全体の重量を細かく且つ正確に調節できるように構成したものである。
そして、上部錘体Ａ１と下部錘体Ａ２と中間部錘体Ａ３は、その中心に相互に連通する貫通孔１が夫々穿設されると共に、その側周面に複数の突条２が適宜間隔で突設されている。しかも、上部錘体Ａ１と中間部錘体Ａ３の下面には、嵌合凸面部３が夫々形成され、下部錘体Ａ２と中間部錘体Ａ３の上面には、嵌合凸面部３に嵌合可能な嵌合凹面部４が夫々形成されている。
更に、貫通連結体Ｂは、その基端部分に釣糸の先端等が固定されると共に、錘本体Ａの貫通孔１に挿通可能なチェーン１０と、このチェーン１０の先端部分に取付けられると共に、錘本体Ａの貫通孔１に遊挿可能な係止ピン１１と、チェーン１０の任意の位置に環装、締着可能となるよう形成される筒状の弾性ストッパー１３とを備えたものである。
加えて、前記下部錘体Ａ２の下面中央部分には、貫通連結体Ｂの係止ピン１１が貫通孔１を跨ぐような状態で保持可能となるような係止溝５が凹設されており、しかも、係止ピン１１と弾性ストッパー１３とで、錘本体Ａを挟むようにして、上部錘体Ａ１と下部錘体Ａ２と中間部錘体Ａ３の嵌合凸面部３と嵌合凹面部４の嵌合状態を維持できるように構成したものである。
【実施例】
【００１３】
前記錘本体Ａは、例えば、鉛等（或いは、その他の材料でも良い。）によって構成され、下部がわが（逆）円錐台状で上部がわが先細円錐台状となるような上下部分が滑らかな流線形の円柱状に形成されており、その中心部分には、上下方向に沿うような貫通孔１が穿設されている。
【００１４】
そして、錘本体Ａは、上下方向に沿って適宜分割されており、上部がわに上部錘体Ａ１が形成され、下部がわに下部錘体Ａ２が形成され、中間部分に複数の中間部錘体Ａ３が形成されている。
【００１５】
前記上部錘体Ａ１は、例えば、その上部が上方に行くに従って漸次窄まるような細長円錐台状に形成され、その下部が下方に行くに従って漸次窄まるような（逆）円錐台状に形成され、この下部が嵌合凸面部３となっている。しかも、中心部分には、円孔状の貫通孔１が上下に貫通され、上部側周面には、細長流線形状の突条２が上下方向に沿うように且つ傾斜面に沿うように配設されていると共に、周面方向に沿って等間隔に配されている。
【００１６】
前記下部錘体Ａ２は、例えば、その基部が短円柱状に形成され、この基部の下面には、下方に行くに従って漸次窄まるような（逆）円錐台状の下部が一体的に突設され、基部の上面には、上方に行くに従って漸次拡開するような（逆）円錐台状の嵌合凹面部４が凹設されており、この嵌合凹面部４が前記嵌合凸面部３に合致するように形成されている。しかも、中心部分には、円孔状の貫通孔１が上下に貫通され、基部側周面には、細長流線形状の突条２が上下方向に沿うように配設されていると共に、周面方向に沿って等間隔に配されている。
更に、下部錘体Ａ２の（逆）円錐台状の下部の下面中央部分には、例えば、貫通孔１を中心とするような十字状の係止溝５が凹設されており、この係止溝５には、後述する係止ピン１１が収容、係止できるように形成されている。
【００１７】
前記中間部錘体Ａ３は、例えば、その基部が短円柱状に形成され、この基部の下面には、下方に行くに従って漸次窄まるような（逆）円錐台状の嵌合凸面部３が一体的に突設され、基部の上面には、上方に行くに従って漸次拡開するような（逆）円錐台状の嵌合凹面部４が凹設されている。しかも、中心部分には、円孔状の貫通孔１が上下に貫通され、基部側周面には、細長流線形状の突条２が上下方向に沿うように配設されていると共に、周面方向に沿って等間隔に配されている。尚、中間部錘体Ａ３は、所定の重量に設定され、中間部錘体Ａ３の数の増減によって総重量が簡単に判るようにするのが望ましい。
【００１８】
前記貫通連結体Ｂは、例えば、釣糸の先端等が固定される適宜リングを、その基端部分に固定してなるチェーン１０と、このチェーン１０の先端部分に取付部１２を介して取付けられる係止ピン１１と、チェーン１０の基端がわの任意の位置に環装、締着可能となる弾性ストッパー１３とで構成されている。
【００１９】
前記チェーン１０は、例えば、適宜金属製で、複数の小さなチェーン素子を連結して構成されている（尚、ある程度の強度を有するものであれば、金属製以外の材料でも良いし、また、鎖状でなく、コード状であっても良い。）。しかも、チェーン１０は、錘本体Ａの貫通孔１にスムーズに挿通できるように形成されている。
【００２０】
前記係止ピン１１は、例えば、適宜金属製（或いは、ある程度の強度を有するものであれば、その他の材料でも良い。）で、短くて細い丸棒状に形成され、貫通孔１を跨ぐようにして係止溝５に収容、係止できるよう形成されている。しかも、係止ピン１１の中央には、取付部１２が形成されており、この取付部１２にチェーン１０の先端部分が確実に且つ簡単に固定できるように形成されている。尚、係止ピン１１は、取付部１２やチェーン１０を含めて錘本体Ａの貫通孔１にスムーズに挿通できるように形成されている。
【００２１】
前記弾性ストッパー１３は、例えば、弾性力がある適宜ゴム材や適宜樹脂材や適宜合成材等によって構成されており、その中心部分には小孔が貫通状に形成されており、チェーン１０に環装せしめたときに、その小孔内周壁面によってチェーン１０を常時弾性圧迫して、任意の位置で締着可能となるように形成されたものであれば良い。すなわち、手指により弾性ストッパー１３をチェーン１０に沿って摺動させることが可能で、しかも、不意の外力等によっては簡単に弾性ストッパー１３が移動しないようなものが好ましい。尚、弾性ストッパー１３は、一つに限定されず、より大きな締着力が得られるように複数個使用しても良い。
【００２２】
ところで、釣用錘の具体的構成、形状、寸法、材質、錘本体Ａの具体的構成、形状、寸法、材質、上部錘体Ａ１の具体的構成、形状、寸法、材質、下部錘体Ａ２の具体的構成、形状、寸法、材質、中間部錘体Ａ３の具体的構成、形状、寸法、材質、数、貫通孔１の具体的構成、形状、寸法、配設位置、突条２の具体的構成、形状、寸法、配設位置、数、嵌合凸面部３の具体的構成、形状、寸法、嵌合凹面部４の具体的構成、形状、寸法、係止溝５の具体的構成、形状、寸法、貫通連結体Ｂの具体的構成、形状、寸法、材質、チェーン１０の具体的構成、形状、寸法、材質、係止ピン１１の具体的構成、形状、寸法、材質、取付部１２の具体的構成、形状、寸法、配設位置、弾性ストッパー１３の具体的構成、形状、寸法、材質、数等は図示例のもの等に限定されることなく適宜自由に設定、変更できるものである。
【産業上の利用可能性】
【００２３】
しかして、本考案の釣用錘は、その重量を誰でも簡単に且つ正確に調節でき、取扱い易く、使い勝手に優れたものとなる。
【符号の説明】
【００２４】
Ａ      錘本体
Ａ１    上部錘体
Ａ２    下部錘体
Ａ３    中間部錘体
１      貫通孔
２      突条
３      嵌合凸面部
４      嵌合凹面部
５      係止溝
Ｂ      貫通連結体
１０    チェーン
１１    係止ピン
１２    取付部
１３    弾性ストッパー
【図１】
0003150702.tif 000003
【図２】
0003150702.tif 000004
【図３】
0003150702.tif 000005
【図４】
0003150702.tif 000006
【図５】
0003150702.tif 000007